(57)【要約】  【課題】遊技者が獲得したパチンコ玉を計数するときに、計数値のランキングを容易に確認できる玉計数機を提供する。  【解決手段】玉計数機には、パチンコ玉を計数する玉計数部23、および玉計数部23で計数するパチンコ玉の計数値を表示する表示部15を設ける。表示部15には、玉計数部23で計数するパチンコ玉の計数値のランキング表示を表示させる。計数動作中の計数値はランキング表示に即時に反映させ、計数値がランキングに入ればランキング表示に表示させるとともに順位に応じてランクアップ表示させる。  【選択図】図１
2005319033.tif 000002
【特許請求の範囲】
【請求項１】
投入される遊技媒体を計数する計数部と、
この計数部で計数する遊技媒体の計数値を表示する表示部と、
この表示部に遊技媒体の計数値のランキング表示を表示させる制御部と
を具備していることを特徴とする遊技媒体計数装置。
【請求項２】
制御部は、計数部で計数する遊技媒体の計数値をランキング表示に即時に反映させる
ことを特徴とする請求項１記載の遊技媒体計数装置。
【請求項３】
制御部は、計数動作中に計数値がランキングに入ればランキング表示に表示させるとともに順位に応じて切り換え表示させる
ことを特徴とする請求項２記載の遊技媒体計数装置。
【請求項４】
制御部は、計数値がランキングに入ればランキング表示に表示させるとともに他の順位の計数値と異なる表示で表示させる
ことを特徴とする請求項２または３記載の遊技媒体計数装置。
【請求項５】
計数値がランキングに入ればランキング表示に表示する計数値とともに表示する情報を入力する情報入力手段を具備している
ことを特徴とする請求項２ないし４いずれか記載の遊技媒体計数装置。
【請求項６】
自己の遊技媒体計数装置が含まれる複数の遊技媒体計数装置で計数された計数値のランキング情報を取得する通信部を具備し、
制御部は、前記通信部を通じて取得されたランキング情報に基づいてランキング表示を表示させる
ことを特徴とする請求項１ないし５いずれか記載の遊技媒体計数装置。
【請求項７】
通信部は、複数の遊技媒体計数装置のうち予め設定された複数の範囲に属する遊技媒体計数装置で計数された計数値のランキング情報を取得し、
制御部は、前記通信部を通じて取得されたランキング情報に基づいて複数の範囲のランキング表示を切換表示可能とし、
この制御部により表示させる範囲のランキング表示を選択するランキング表示選択手段を具備している
ことを特徴とする請求項６記載の遊技媒体計数装置。
【発明の詳細な説明】
【技術分野】
【０００１】
本発明は、遊技媒体を計数する遊技媒体計数装置に関する。
【背景技術】
【０００２】
従来、遊技媒体計数装置としては、例えばパチンコ店に設置されて遊技者が獲得した遊技媒体としてのパチンコ玉を計数する玉計数機などがある。この玉計数機では、遊技者が獲得したパチンコ玉を玉投入部に投入することにより、その玉投入部に投入されたパチンコ玉を玉計数部で計数し、この玉計数部で計数した計数値を表示部で表示し、計数終了後に計数値を記載したレシートを発行している。
【０００３】
また、パチンコ店においては、出玉情報を提供するために、パチンコ台毎の出玉数を集計し、この集計結果に応じた出玉ランキングをパチンコ店のホールに設置された店出玉表示装置で表示している（例えば、特許文献１参照。）。
【特許文献１】特開平１１−１９３２４号公報（第３−６頁、図１）
【発明の開示】
【発明が解決しようとする課題】
【０００４】
上述のように、玉計数機は、パチンコ玉を計数した計数値の情報を提供するだけであった。
【０００５】
また、店出玉表示装置でパチンコ台毎の出玉情報を提供するには、パチンコ店のホールに専用の店出玉表示装置を設置しなければならず、パチンコ店側の設置コストの負担が大きくなる問題がある。しかも、遊技者が使用したパチンコ台の出玉数がランキングに入ったとしても、遊技者が獲得したパチンコ玉を計数した計数結果と店出玉表示装置のランキングに表示された出玉数との関係を把握しにくい問題がある。
【０００６】
本発明は、このような点に鑑みなされたもので、遊技者が獲得した遊技媒体の計数値に応じたランキング表示ができ、このランキング表示に専用の表示部が必要なく、遊技媒体の計数時にランキングを容易に確認できる遊技媒体計数装置を提供することを目的とする。
【課題を解決するための手段】
【０００７】
請求項１記載の遊技媒体計数装置は、投入される遊技媒体を計数する計数部と、この計数部で計数する遊技媒体の計数値を表示する表示部と、この表示部に遊技媒体の計数値のランキング表示を表示させる制御部とを具備しているものである。
【０００８】
そして、遊技媒体の計数値を表示するために備えていた表示部で、遊技媒体の計数値のランキング表示を表示するので、遊技者が獲得した遊技媒体の計数値に応じたランキング表示が可能で、このランキング表示に専用の表示部が必要なく、遊技媒体の計数時にランキングが容易に確認可能になる。
【０００９】
請求項２記載の遊技媒体計数装置は、請求項１記載の遊技媒体計数装置において、制御部は、計数部で計数する遊技媒体の計数値をランキング表示に即時に反映させるものである。
【００１０】
そして、計数した遊技媒体の計数値をランキング表示に即時に反映させるので、遊技者の期待感や高揚感が高められる。
【００１１】
請求項３記載の遊技媒体計数装置は、請求項２記載の遊技媒体計数装置において、制御部は、計数動作中に計数値がランキングに入ればランキング表示に表示させるとともに順位に応じて切り換え表示させるものである。
【００１２】
そして、計数動作中に計数値がランキングに入ればランキング表示に表示させるとともに順位に応じて切り換え表示させるので、ランキングに入った遊技者の順位が何位まで上がるかという期待感が高められる。
【００１３】
請求項４記載の遊技媒体計数装置は、請求項２または３記載の遊技媒体計数装置において、制御部は、計数値がランキングに入ればランキング表示に表示させるとともに他の順位の計数値と異なる表示で表示させるものである。
【００１４】
そして、計数値がランキングに入ればランキング表示に表示させるとともに他の順位の計数値と異なる表示で表示させるので、ランキングに入った遊技者の順位を容易に把握可能になる。
【００１５】
請求項５記載の遊技媒体計数装置は、請求項２ないし４いずれか記載の遊技媒体計数装置において、計数値がランキングに入ればランキング表示に表示する計数値とともに表示する情報を入力する情報入力手段を具備しているものである。
【００１６】
そして、計数値がランキングに入ればランキング表示に表示する計数値とともに、例えば名前などの情報を入力して表示可能になる。
【００１７】
請求項６記載の遊技媒体計数装置は、請求項１ないし５いずれか記載の遊技媒体計数装置において、自己の遊技媒体計数装置が含まれる複数の遊技媒体計数装置で計数された計数値のランキング情報を取得する通信部を具備し、制御部は、前記通信部を通じて取得されたランキング情報に基づいてランキング表示を表示させるものである。
【００１８】
そして、自己の遊技媒体計数装置が含まれる複数の遊技媒体計数装置で計数された計数値のランキング情報を取得し、このランキング情報に基づいてランキング表示を表示するので、例えば他の遊技媒体計数機で計数された計数値を含むランキング表示も表示可能になる。
【００１９】
請求項７記載の遊技媒体計数装置は、請求項６記載の遊技媒体計数装置において、通信部は、複数の遊技媒体計数装置のうち予め設定された複数の範囲に属する遊技媒体計数装置で計数された計数値のランキング情報を取得し、制御部は、前記通信部を通じて取得されたランキング情報に基づいて複数の範囲のランキング表示を切換表示可能とし、この制御部により表示させる範囲のランキング表示を選択するランキング表示選択手段を具備しているものである。
【００２０】
そして、複数の遊技媒体計数装置のうち予め設定された複数の範囲に属する遊技媒体計数装置で計数された計数値のランキング情報を取得し、このランキング情報に基づいて複数の範囲のランキング表示を切換表示可能になる。
【発明の効果】
【００２１】
請求項１記載の遊技媒体計数装置によれば、遊技媒体の計数値を表示するために備えていた表示部で、遊技媒体の計数値のランキング表示を表示するので、遊技者が獲得した遊技媒体の計数値に応じたランキング表示ができ、このランキング表示に専用の表示部が必要なく、遊技媒体の計数時にランキングを容易に確認できる。
【００２２】
請求項２記載の遊技媒体計数装置によれば、請求項１記載の遊技媒体計数装置の効果に加えて、計数した遊技媒体の計数値をランキング表示に即時に反映させるので、遊技者の期待感や高揚感を高めることができる。
【００２３】
請求項３記載の遊技媒体計数装置によれば、請求項２記載の遊技媒体計数装置の効果に加えて、計数動作中に計数値がランキングに入ればランキング表示に表示させるとともに順位に応じて切り換え表示させるので、ランキングに入った遊技者の順位が何位まで上がるかという期待感を高めることができる。
【００２４】
請求項４記載の遊技媒体計数装置によれば、請求項２または３記載の遊技媒体計数装置の効果に加えて、計数値がランキングに入ればランキング表示に表示させるとともに他の順位の計数値と異なる表示で表示させるので、ランキングに入った遊技者の順位を容易に把握できる。
【００２５】
請求項５記載の遊技媒体計数装置によれば、請求項２ないし４いずれか記載の遊技媒体計数装置の効果に加えて、計数値がランキングに入ればランキング表示に表示する計数値とともに、例えば遊技者の名前などの情報を入力して表示できる。
【００２６】
請求項６記載の遊技媒体計数装置によれば、請求項１ないし５いずれか記載の遊技媒体計数装置の効果に加えて、自己の遊技媒体計数装置が含まれる複数の遊技媒体計数装置で計数された計数値のランキング情報を取得し、このランキング情報に基づいてランキング表示を表示するので、例えば他の遊技媒体計数機で計数された計数値を含むランキング表示も表示できる。
【００２７】
請求項７記載の遊技媒体計数装置によれば、請求項６記載の遊技媒体計数装置の効果に加えて、複数の遊技媒体計数装置のうち予め設定された複数の範囲に属する遊技媒体計数装置で計数された計数値のランキング情報を取得し、このランキング情報に基づいて複数の範囲のランキング表示を切換表示できる。
【発明を実施するための最良の形態】
【００２８】
以下、本発明の一実施の形態を図面を参照して説明する。
【００２９】
図２に、遊技媒体計数装置として、例えばパチンコ店に設置されて、遊技者が獲得した遊技媒体としてのパチンコ玉を計数する玉計数機11の斜視図を示す。パチンコ店では、複数台のパチンコ台が並設された複数のパチンコ島が設置され、これら各パチンコ島の端などに複数の玉計数機が設置されている。
【００３０】
玉計数機11は、玉計数機本体12を有し、この玉計数機本体12に遊技者が獲得したパチンコ玉を投入する玉投入部13が形成され、この玉投入部13に投入されたパチンコ玉を内部に取り込んで計数する。玉計数機本体12の背部に立位部14が形成され、この立位部14の正面に、パチンコ玉の計数値や計数値のランキングを表示する表示部15、この表示部15の表示画面15aに形成されたタッチパネルによって構成される操作部16、計数値を記載したレシートを発行するレシート発行口17、所定の交換基準に満たない余りのパチンコ玉を返却する余り玉返却部18が設けられている。なお、操作部16は、情報入力手段およびランキング表示選択手段としての機能を有している。また、この玉計数機11で計数したパチンコ玉はパチンコ島内に回収される。
【００３１】
図１に、玉計数機11のブロック図を示し、玉計数機11を制御する制御部21を有し、この制御部21に、表示部15および操作部16を有するタッチパネル22、玉投入部13に投入されたパチンコ玉を計数する計数部としての玉計数部23、計数値を不正に操作しようとする行為を検知する不正検知手段24、余り玉を余り玉返却部18から返却させる余り玉返却機構25、レシート発行口17からレシートを発行させるレシート発行部26、時間を確認する計時部27、計数値やランキング情報などを記憶する記憶手段としてのメモリ28、管理コンピュータ29と通信する通信部30がそれぞれ接続され、電源部31から電源が供給されている。なお、必要であれば、操作案内、計数値、ランキングなどを音声で出力する音声出力部32が接続されている。
【００３２】
そして、制御部21は、表示部15にパチンコ玉の計数値のランキング表示を表示させる機能、玉計数部23で計数するパチンコ玉の計数値をランキング表示に即時つまりリアルタイムに反映させる機能を有している。この計数値をランキング表示に反映させる機能としては、計数動作中に計数値がランキングに入ればランキング表示に表示させるとともに順位に応じて切り換え表示させる機能、計数値がランキングに入ればランキング表示に表示させるとともに他の順位の計数値と異なる例えば点滅、色違いの文字、抜き文字（白黒逆転）などの強調表示で表示させる機能、計数値がランキングに入ればランキング表示に表示する計数値とともに表示する例えば遊技者の名前、ニックネームなどの識別情報を入力する機能を有している。さらに、通信部30を通じて取得されたランキング情報に基づいて、玉計数機11毎、フロア毎、店全体などの複数の範囲のランキング表示を切換表示可能とする機能を有している。
【００３３】
図３に、複数の玉計数機11を通信可能に接続した管理システムのブロック図を示し、パチンコ店の１階と２階のフロアに複数台ずつ玉計数機11が設置され、事務所に管理コンピュータ29が設置されており、これら複数の玉計数機11の通信部30と管理コンピュータ29とが通信ケーブル35によって通信可能に接続されている。そして、管理コンピュータ29には各玉計数機11での計数情報などが収集され、管理コンピュータ29から各玉計数機11にはランキング情報などが配信される。
【００３４】
次に、本実施の形態の作用を説明する。
【００３５】
図４に示すように、玉計数機11の待機中は、表示部15の表示画面15aにランキング表示を表示する。ランキング表示では、ガイド表示領域41でランキングの種類として「本日の出玉ランキング」を表示するともに、ランキング表示領域42で１〜６位までの計数値を表示する。
【００３６】
遊技者が獲得したパチンコ玉を玉計数機11の玉投入部13に投入することにより、投入されたパチンコ玉の計数を開始する。
【００３７】
計数中は、図５(a)に示すように、計数値がランキング外の場合、ランキング表示領域42のランキング表示を残したまま、ガイド表示領域41で計数中の計数値を表示する。
【００３８】
計数中に、計数値がランキングに入ると、ランキング表示領域42のランキング表示に割り込み表示し、さらに、図５(b)に示すように、順位が上がるのに応じてランクアップするように切り換えて表示する。計数値がランキング表示領域42のランキング表示に割り込み表示させたときには、他の順位の計数値と異なる例えば点滅、色違いの文字、抜き文字（白黒逆転）などの強調表示で表示させる。これにより、ランキングに入った遊技者の順位を容易に把握できる。また、音声出力部32を備えている場合には、ランクアップに合わせて音声（ランクアップを表す言葉や効果音）を発するようにしてもよい。
【００３９】
計数終了後、計数値がランキングに入っていれば、他の順位の計数値と異なる例えば点滅、色違いの文字、抜き文字（白黒逆転）などの強調表示で表示させる。これにより、ランキングに入った遊技者の順位を容易に把握できる。そして、計数終了後、例えば数十秒程度の所定時間が経過するか、次の計数動作が開始されれば、強調表示を解除して他の順位と同じ表示とする。
【００４０】
このように、玉計数機11がパチンコ玉の計数値を表示するために備えていた表示部15で、パチンコ玉の計数値のランキング表示を表示するので、遊技者が獲得したパチンコ玉の計数値に応じたランキング表示ができ、このランキング表示に専用の表示部が必要なく、パチンコ玉の計数時にランキングを容易に確認できる。
【００４１】
しかも、計数しているパチンコ玉の計数値をランキング表示にリアルタイムに反映させるので、遊技者の期待感や高揚感を高めることができる。
【００４２】
さらに、計数動作中に計数値がランキングに入ればランキング表示に表示させるとともに順位に応じて切り換え表示させるので、ランキングに入った遊技者の順位が何位まで上がるかという期待感を高めることができる。
【００４３】
さらに、計数値がランキングに入ればランキング表示に表示させるとともに他の順位の計数値と異なる表示で表示させるので、ランキングに入った遊技者の順位を容易に把握できる。
【００４４】
また、玉計数機11の待機中に表示するランキング表示は、管理コンピュータから配信されるランキング情報に基づいて、例えば、玉計数機11毎のランキング表示、フロア毎のランキング表示、店全体のランキング表示など、予め設定した範囲、つまり玉計数機11毎、フロア毎、店全体などのグループ毎にランキング表示を表示できる。
【００４５】
玉計数機11毎のランキング表示については、各玉計数機11のメモリ28に計数情報を蓄積してランキング情報を作成してランキング表示に使用できる。
【００４６】
フロア毎のランキング表示、および店全体のランキング表示については、管理コンピュータ29が各玉計数機11から各自で計数した計数情報を収集し、玉計数機11毎、フロア毎、店全体などのランキング情報を所定時間毎に作成して、各玉計数機11に配信することにより、各玉計数機11では取得したランキング情報をメモリ28に記憶してランキング表示に使用できる。
【００４７】
そして、ランキング表示の切り換えは、例えば、図６に示すように、フロアのランキング表示、店全体のランキング表示となどを、店側で設定した所定時間毎に自動的に切り換えるようにしてもよい。
【００４８】
あるいは、図７に示すように、ガイド表示領域41に、店全体、１Ｆ、２Ｆなどのランキング表示選択域43を設け、遊技者がいずれかのランキング表示選択域43に触れると、つまりランキング表示選択手段の機能を有するタッチパネル22に触れると、対応するランキング表示に切り換えるようにしてもよい。
【００４９】
この場合、各玉計数機11においては、他の玉計数機11において上位の計数結果が発生してもリアルタイムで反映されないため、新たな計数値をフロア毎や店全体などのランキング表示に正確に反映させることは難しい。そこで、計数動作の時点で、玉計数機11のメモリ28に記憶されているランキング情報と比較して暫定ランキング表示を表示することで、計数中および計数後に遊技者の順位を確認できるようにできる。そして、次のランキング情報の配信時に、正確なランキング表示に更新できる。
【００５０】
また、図８に示すように、ランキング表示領域42には、計数値とともに、例えば遊技者の名前、ニックネームなどの識別情報を表示する識別情報表示域44を設定し、計数値がランキングに入れば、ランキング表示領域42の識別情報表示域44に識別情報を入力して表示するようにしてもよい。識別情報は、タッチパネル22に文字入力機能すなわち情報入力手段の機能を付加することで入力できる。
【００５１】
なお、ランキングの期間は、例えば、本日、今週、今月など、任意に設定可能とする。本日のランキングの場合には、開店後しばらくは計数値のデータが少ないので、データが多くなるまではランキング表示を表示せずに「○○時以降にランキング表示」というように表示したり、前日のデータを流用してランキング表示し、所定時刻になれば本日のランキングに切り換えるようにしてもよい。前日のデータを流用する場合には、その旨を注意表示する。
【００５２】
また、操作部16は、表示部15の表示画面15aに形成されたタッチパネルで構成する場合に限らず、操作ボタンなどで表示部15とは別に構成するようにしてもよい。
【００５３】
また、遊技媒体計数装置としては、玉計数機に限らず、遊技媒体としてのメダルを計数するメダル計数機にも適用でき、同様の作用効果が得られる。
【図面の簡単な説明】
【００５４】
【図１】本発明の遊技媒体計数装置の一実施の形態を示す玉計数機のブロック図である。
【図２】同上玉計数機の斜視図である。
【図３】同上複数の玉計数機を通信可能に接続した管理システムのブロック図である。
【図４】同上玉計数機のランキング表示の説明図である。
【図５】同上玉計数機の計数中のランキング表示を示し、(a)は計数値がランキング外のときの説明図、(b)は計数値がランキングに入ったときの説明図である。
【図６】同上玉計数機の待機中に所定のパターンで切り換えるランキング表示を(a)(b)に示す説明図である。
【図７】同上玉計数機の待機中に遊技者が選択して切り換えるランキング表示を(a)(b)に示す説明図である。
【図８】同上玉計数機のランキング表示であって遊技者の名前を入力するようにしたランキング表示の説明図である。
【符号の説明】
【００５５】
11    遊技媒体計数装置としての玉計数機
15    表示部
16    情報入力手段およびランキング表示選択手段としての操作部
21    制御部
23    計数部としての玉計数部
30    通信部
【図１】
2005319033.tif 000003
【図２】
2005319033.tif 000004
【図３】
2005319033.tif 000005
【図４】
2005319033.tif 000006
【図６】
2005319033.tif 000007
【図５】
2005319033.tif 000008
【図７】
2005319033.tif 000009
【図８】
2005319033.tif 000010